(57)【特許請求の範囲】
【請求項１】
配電線に複数の分散型電源が連系している配電系統において、前記配電線と前記分散型電源Ｂとの連系点における有効電力の変化分と電圧の変化分とから有効電力変化分に対する電圧感度を算出し、前記有効電力変化分に対する電圧感度が無効電力出力による助成を行うか否かを判定するための閾値以下の場合に他の分散型電源Ａが電圧上昇抑制制御に移行したと判断して前記分散型電源Ｂが無効電力出力による助成を開始することを特徴とする配電系統の電圧制御方法。
【請求項２】
前記分散型電源Ｂが出力可能な最大出力での前記無効電力出力による助成を開始することを特徴とする請求項１記載の配電系統の電圧制御方法。
【請求項３】
前記分散型電源Ｂが無効電力出力による助成を開始した後に、前記連系点における無効電力の変化分と電圧の変化分とから無効電力変化分に対する電圧感度を算出し、前記無効電力変化分に対する電圧感度が助成のための無効電力出力の低下を停止するか否かを判定するための閾値よりも大きい場合には前記分散型電源Ｂが助成のための無効電力出力を段階的に低下し、前記無効電力変化分に対する電圧感度が前記助成のための無効電力出力の低下を停止するか否かを判定するための閾値以下の場合には前記分散型電源Ａが電圧一定制御に移行したと判断して前記分散型電源Ｂが助成のための無効電力出力の低下を停止することを特徴とする請求項１または２記載の配電系統の電圧制御方法。
【請求項４】
前記分散型電源Ｂが無効電力出力による助成を開始した後に、又は前記分散型電源Ｂが助成のための無効電力出力の低下を停止した後に、前記連系点における無効電力の変動分と電圧の変化分とから無効電力変動分に対する電圧感度を算出し、前記無効電力変動分に対する電圧感度が助成のための無効電力出力を停止するか否かを判定するための閾値よりも大きい場合に前記分散型電源Ａが電圧上昇抑制制御又は前記電圧上昇抑制制御後に移行した電圧一定制御を解除したと判断して前記分散型電源Ｂが助成のための無効電力出力を停止することを特徴とする請求項１から３のいずれか１つに記載の配電系統の電圧制御方法。
【請求項５】
配電線と分散型電源との連系点における有効電力の変化分と電圧の変化分とから有効電力変化分に対する電圧感度を算出する手段と、前記有効電力変化分に対する電圧感度が無効電力出力による助成を行うか否かを判定するための閾値以下の場合に前記分散型電源に無効電力出力による助成を開始させる内容の制御指令を出力する手段とを含む制御装置を有することを特徴とする配電系統の電圧制御装置。
【請求項６】
前記無効電力出力による助成を開始させる内容の制御指令を出力する手段が、前記分散型電源に出力可能な最大出力での無効電力出力による助成を開始させる内容の制御指令を出力することを特徴とする請求項５記載の配電系統の電圧制御装置。
【請求項７】
前記制御装置が、前記連系点における無効電力の変化分と電圧の変化分とから無効電力変化分に対する電圧感度を算出する手段と、前記無効電力変化分に対する電圧感度が助成のための無効電力出力の低下を停止するか否かを判定するための閾値よりも大きい場合には前記分散型電源に助成のための無効電力出力を段階的に低下させる内容の制御指令を出力する手段と、前記無効電力変化分に対する電圧感度が前記助成のための無効電力出力の低下を停止するか否かを判定するための閾値以下の場合には前記分散型電源に助成のための無効電力出力の低下を停止させる内容の制御指令を出力する手段とを含むことを特徴とする請求項５または６記載の配電系統の電圧制御装置。
【請求項８】
前記制御装置が、前記連系点における無効電力の変動分と電圧の変化分とから無効電力変動分に対する電圧感度を算出する手段と、前記無効電力変動分に対する電圧感度が助成のための無効電力出力を停止するか否かを判定するための閾値よりも大きい場合に前記分散型電源に助成のための無効電力出力を停止させる内容の制御指令を出力する手段とを含むことを特徴とする請求項５から７のいずれか１つに記載の配電系統の電圧制御装置。
【請求項９】
コンピュータを、少なくとも、配電線と分散型電源との連系点における有効電力の変化分と電圧の変化分とから有効電力変化分に対する電圧感度を算出する手段、前記有効電力変化分に対する電圧感度が無効電力出力による助成を行うか否かを判定するための閾値以下の場合に前記分散型電源に無効電力出力による助成を開始させる内容の制御指令を出力する手段として機能させるための配電系統の電圧制御プログラム。
【請求項１０】
前記コンピュータを、前記分散型電源に出力可能な最大出力での無効電力出力による助成を開始させる内容の制御指令を出力する手段として機能させるための請求項９記載の配電系統の電圧制御プログラム。
【請求項１１】
前記コンピュータを、前記連系点における無効電力の変化分と電圧の変化分とから無効電力変化分に対する電圧感度を算出する手段、前記無効電力変化分に対する電圧感度が助成のための無効電力出力の低下を停止するか否かを判定するための閾値よりも大きい場合には前記分散型電源に助成のための無効電力出力を段階的に低下させる内容の制御指令を出力する手段、前記無効電力変化分に対する電圧感度が前記助成のための無効電力出力の低下を停止するか否かを判定するための閾値以下の場合には前記分散型電源に助成のための無効電力出力の低下を停止させる内容の制御指令を出力する手段として機能させるための請求項９または１０記載の配電系統の電圧制御プログラム。
【請求項１２】
前記コンピュータを、前記連系点における無効電力の変動分と電圧の変化分とから無効電力変動分に対する電圧感度を算出する手段、前記無効電力変動分に対する電圧感度が助成のための無効電力出力を停止するか否かを判定するための閾値よりも大きい場合に前記分散型電源に助成のための無効電力出力を停止させる内容の制御指令を出力する手段として機能させるための請求項９から１１のいずれか１つに記載の配電系統の電圧制御プログラム。
【発明の詳細な説明】
【技術分野】
【０００１】
本発明は、配電系統の電圧制御方法、装置並びにプログラムに関する。さらに詳述すると、本発明は、複数の分散型電源が連系している配電系統の電圧制御方法、装置並びにプログラムに関する。
【背景技術】
【０００２】
わが国では、商用電力系統への分散型電源の連系が進められている。それに伴い、分散型電源が配電系統に大量導入された場合の分散型電源からの逆潮流による電圧上昇が懸念されている。場合によっては、電気事業法で定められている適正範囲の上限である１０７［Ｖ］を超えてしまう可能性もある。
【０００３】
分散型電源を系統連系する場合、分散型電源系統連系技術指針に従って対策をとることになっている（非特許文献１）。
【０００４】
分散型電源系統連系技術指針による従来の配電系統の電圧上昇を抑制する対策は、まず進相無効電力の制御を行い、それによっては十分な抑制効果が得られない場合は出力有効電力を低減させるものである。
【０００５】
【非特許文献１】日本電気協会：分散型電源系統連系技術指針（ＪＥＡＧ９７０１−２００１）， ２００１年．
【発明の開示】
【発明が解決しようとする課題】
【０００６】
しかしながら、複数の分散型電源が同一の配電系統に導入される際には、配電系統の線路インピーダンス等の影響により一部の地点の電圧が上昇しやすい場合がある。このような場合には、分散型電源系統連系技術指針による対策では、条件によっては一部の地点の分散型電源のみが電圧上昇抑制を行うこととなり、これら一部の分散型電源の出力有効電力の低減を招くことになる。
【０００７】
このため、配電系統内の分散型電源間で出力有効電力の不均等を招き、分散型電源設置地点による設備利用率の格差や、余剰電力を売電しているような場合には収入格差を招くという問題がある。更に、この結果、配電系統内の電源全体としてのエネルギー利用効率が低下してしまうという問題がある。
【０００８】
そこで、本発明は、配電系統内の分散型電源間の設備利用率や売電収入の格差を抑制すると共に配電系統内の電源全体としてのエネルギー利用効率の低下を抑制することができる配電系統の電圧制御方法、装置並びにプログラムを提供することを目的とする。
【課題を解決するための手段】
【０００９】
かかる目的を達成するため、請求項１記載の配電系統の電圧制御方法は、配電線に複数の分散型電源が連系している配電系統において、配電線と分散型電源Ｂとの連系点における有効電力の変化分と電圧の変化分とから有効電力変化分に対する電圧感度を算出し、有効電力変化分に対する電圧感度が無効電力出力による助成を行うか否かを判定するための閾値以下の場合に他の分散型電源Ａが電圧上昇抑制制御に移行したと判断して分散型電源Ｂが無効電力出力による助成を開始するようにしている。
【００１０】
また、請求項５記載の配電系統の電圧制御装置は、配電線と分散型電源との連系点における有効電力の変化分と電圧の変化分とから有効電力変化分に対する電圧感度を算出する手段と、有効電力変化分に対する電圧感度が無効電力出力による助成を行うか否かを判定するための閾値以下の場合に分散型電源に無効電力出力による助成を開始させる内容の制御指令を出力する手段とを含む制御装置を有するようにしている。
【００１１】
更にまた、請求項９記載の配電系統の電圧制御プログラムは、コンピュータを、少なくとも、配電線と分散型電源との連系点における有効電力の変化分と電圧の変化分とから有効電力変化分に対する電圧感度を算出する手段、有効電力変化分に対する電圧感度が無効電力出力による助成を行うか否かを判定するための閾値以下の場合に分散型電源に無効電力出力による助成を開始させる内容の制御指令を出力する手段として機能させるようにしている。
【００１２】
ここで、複数の分散型電源が連系している配電系統において、配電系統の電圧が適正範囲の上限に達してある分散型電源が一定力率の通常運転から電圧上昇抑制制御に移行することは、その分散型電源が定電力源から定電圧源に切り替わることと概略等価であり、同一配電線に連系している他の分散型電源からみた系統インピーダンスが低下し、特に有効電力の出力変化中の分散型電源では有効電力変化分に対する電圧感度（電圧の変化分を有効電力の変化分で除したもの）が低下することとなる。したがって、この配電系統の電圧制御方法、装置並びにプログラムによると、配電線と分散型電源Ｂとの連系点における有効電力変化分に対する電圧感度が低下したときに、同一配電線に連系している他の分散型電源Ａが電圧上昇抑制制御に移行したものと判断して分散型電源Ｂによる無効電力出力による助成が開始される。また、配電線と分散型電源との連系点における有効電力と電圧を監視することにより配電系統に連系している分散型電源が単独で自律的に機能して配電系統全体の電圧制御を行う。
【００１３】
また、請求項２記載の発明は、請求項１記載の配電系統の電圧制御方法において、分散型電源Ｂが出力可能な最大出力での無効電力出力による助成を開始するようにしている。
【００１４】
請求項６記載の発明は、請求項５記載の配電系統の電圧制御装置において、無効電力出力による助成を開始させる内容の制御指令を出力する手段が、分散型電源に出力可能な最大出力での無効電力出力による助成を開始させる内容の制御指令を出力するようにしている。
【００１５】
請求項１０記載の発明は、請求項９記載の配電系統の電圧制御プログラムにおいて、コンピュータを、分散型電源に出力可能な最大出力での無効電力出力による助成を開始させる内容の制御指令を出力する手段として機能させるようにしている。
【００１６】
この場合には、分散型電源が出力可能な最大出力での無効電力出力による助成を開始し、配電系統の電圧の適正範囲の超過が助成開始当初から早急に解消され得る。
【００１７】
また、請求項３記載の発明は、請求項１または２記載の配電系統の電圧制御方法において、分散型電源Ｂが無効電力出力による助成を開始した後に、配電線と分散型電源Ｂとの連系点における無効電力の変化分と電圧の変化分とから無効電力変化分に対する電圧感度を算出し、無効電力変化分に対する電圧感度が助成のための無効電力出力の低下を停止するか否かを判定するための閾値よりも大きい場合には分散型電源Ｂが助成のための無効電力出力を段階的に低下し、無効電力変化分に対する電圧感度が助成のための無効電力出力の低下を停止するか否かを判定するための閾値以下の場合には分散型電源Ａが電圧一定制御に移行したと判断して分散型電源Ｂが助成のための無効電力出力の低下を停止するようにしている。
【００１８】
請求項７記載の発明は、請求項５または６記載の配電系統の電圧制御装置において、制御装置が、連系点における無効電力の変化分と電圧の変化分とから無効電力変化分に対する電圧感度を算出する手段と、無効電力変化分に対する電圧感度が助成のための無効電力出力の低下を停止するか否かを判定するための閾値よりも大きい場合には分散型電源に助成のための無効電力出力を段階的に低下させる内容の制御指令を出力する手段と、無効電力変化分に対する電圧感度が助成のための無効電力出力の低下を停止するか否かを判定するための閾値以下の場合には分散型電源に助成のための無効電力出力の低下を停止させる内容の制御指令を出力する手段とを含むようにしている。
【００１９】
請求項１１記載の発明は、請求項９または１０記載の配電系統の電圧制御プログラムにおいて、コンピュータを、連系点における無効電力の変化分と電圧の変化分とから無効電力変化分に対する電圧感度を算出する手段、無効電力変化分に対する電圧感度が助成のための無効電力出力の低下を停止するか否かを判定するための閾値よりも大きい場合には分散型電源に助成のための無効電力出力を段階的に低下させる内容の制御指令を出力する手段、無効電力変化分に対する電圧感度が助成のための無効電力出力の低下を停止するか否かを判定するための閾値以下の場合には分散型電源に助成のための無効電力出力の低下を停止させる内容の制御指令を出力する手段として機能させるようにしている。
【００２０】
ここで、ある分散型電源が電圧上昇抑制制御から電圧一定制御に移行すると、電圧上昇方向に加えて電圧下降方向に対しても電圧制御を行うこととなり、電圧上昇時に加えて電圧下降時にも同一配電線に連系している他の分散型電源からみた系統インピーダンスは低下することとなる。したがって、この配電系統の電圧制御方法、装置並びにプログラムの場合には、配電線と分散型電源Ｂとの連系点における無効電力変化分に対する電圧感度（電圧の変化分を無効電力の変化分で除したもの）が低下して他の分散型電源Ａが電圧一定制御に移行したと判断されるまで分散型電源Ｂが助成のための無効電力出力を低下させて無効電力出力が調整される。
【００２１】
更に、請求項４記載の発明は、請求項１から３のいずれか１つに記載の配電系統の電圧制御方法において、分散型電源Ｂが無効電力出力による助成を開始した後に、又は分散型電源Ｂが助成のための無効電力出力の低下を停止した後に、連系点における無効電力の変動分と電圧の変化分とから無効電力変動分に対する電圧感度を算出し、無効電力変動分に対する電圧感度が助成のための無効電力出力を停止するか否かを判定するための閾値よりも大きい場合に分散型電源Ａが電圧上昇抑制制御又は電圧上昇抑制制御後に移行した電圧一定制御を解除したと判断して分散型電源Ｂが助成のための無効電力出力を停止するようにしている。
【００２２】
請求項８記載の発明は、請求項５から７のいずれか１つに記載の配電系統の電圧制御装置において、制御装置が、連系点における無効電力の変動分と電圧の変化分とから無効電力変動分に対する電圧感度を算出する手段と、無効電力変動分に対する電圧感度が助成のための無効電力出力を停止するか否かを判定するための閾値よりも大きい場合に分散型電源に助成のための無効電力出力を停止させる内容の制御指令を出力する手段とを含むようにしている。
【００２３】
請求項１２記載の発明は、請求項９から１１のいずれか１つに記載の配電系統の電圧制御プログラムにおいて、コンピュータを、連系点における無効電力の変動分と電圧の変化分とから無効電力変動分に対する電圧感度を算出する手段、無効電力変動分に対する電圧感度が助成のための無効電力出力を停止するか否かを判定するための閾値よりも大きい場合に分散型電源に助成のための無効電力出力を停止させる内容の制御指令を出力する手段として機能させるようにしている。
【００２４】
ここで、ある分散型電源が電圧一定制御を解除することは、その分散型電源が再び定電力源に切り替わることと等価であり、同一配電線に連系している他の分散型電源からみた系統インピーダンスが元に戻ることとなる。したがって、この配電系統の電圧制御方法、装置並びにプログラムの場合には、配電線と分散型電源Ｂとの連系点における無効電力変動分に対する電圧感度が大きくなったときに、同一配電線に連系している他の分散型電源Ａが電圧一定制御を解除したものと判断して分散型電源Ｂによる助成のための無効電力出力が停止される。
【発明の効果】
【００２５】
以上説明したように、請求項１、５並びに９記載の配電系統の電圧制御方法、装置並びにプログラムによれば、電圧上昇抑制制御を行う分散型電源の有効電力の出力低下が抑制されるので、配電系統内の分散型電源間で生じる出力有効電力の不均等を抑制することができ、分散型電源設置地点による設備利用率の格差や余剰電力を売電している場合の収入格差を抑制することが可能である。
【００２６】
また、請求項２、６並びに１０記載の配電系統の電圧制御方法、装置並びにプログラムによれば、最大出力の無効電力の供給により配電系統の電圧の適正範囲の超過を助成開始当初から早急に解消し得るので、配電系統の電圧制御を迅速に行うことが可能である。
【００２７】
また、請求項３、７並びに１１記載の配電系統の電圧制御方法、装置並びにプログラムによれば、分散型電源が助成のための無効電力出力を低下させて無効電力出力が調整されるので、配電系統の電圧制御に必要とされる無効電力出力を適正化して分散型電源による助成のための無効電力出力の負担を最小限に抑えることができ、配電系統内の電源全体としてのエネルギー利用効率の低下をより適切に制御して配電系統が有する電力供給能力をより適切に活用することが可能となる。
【００２８】
更に、請求項４、８並びに１２記載の配電系統の電圧制御方法、装置並びにプログラムによれば、一定の条件の場合に分散型電源による助成のための無効電力出力が停止されるので、配電系統の電圧制御に必要とされる無効電力出力による助成の運用を適正化し、分散型電源による不要な助成を回避することができる。
【００２９】
更にまた、本発明によれば、配電系統に連系している分散型電源が単独で自律的に機能して配電系統全体の電圧制御を行うことができるので、配電系統全体の電圧制御のための機構を簡便に構築することが可能である。
【発明を実施するための最良の形態】
【００３０】
以下、本発明の構成を図面に示す最良の形態に基づいて詳細に説明する。
【００３１】
図１及び図２に、本発明の配電系統の電圧制御方法並びに装置の実施形態の一例を示す。なお、本実施形態では、複数の分散型電源が連系した配電系統として、図２に示すように、変電所２に接続していると共に線路インピーダンス４を有する配電線３に分散型電源Ａ及びＢが連系点５ａ及び５ｂにおいて連系している配電系統１を例に挙げている。
【００３２】
本発明の電圧制御装置は、第一の電圧感度算出手段と、第一の電圧感度比較手段と、第二の電圧感度算出手段と、第二の電圧感度比較手段と、第三の電圧感度比較手段と、制御指令出力手段とから構成されている。第一の電圧感度算出手段は、配電線と分散型電源との連系点における有効電力の変化分と電圧の変化分とから有効電力変化分に対する電圧感度の算出を行う。第一の電圧感度比較手段は、配電線と分散型電源との連系点における有効電力変化分に対する電圧感度と無効電力出力による助成を行うか否かを判定するための閾値とを比較して分散型電源が無効電力出力による助成を開始すべきか否かの判断を行う。
【００３３】
更に、第二の電圧感度算出手段は、配電線と分散型電源との連系点における無効電力の変化分と電圧の変化分とから無効電力変化分に対する電圧感度の算出を行う。第二の電圧感度比較手段は、配電線と分散型電源との連系点における無効電力変化分に対する電圧感度と助成のための無効電力出力の低下を停止するか否かを判定するための閾値とを比較して分散型電源が助成のための無効電力出力を段階的に低下すべきか否かの判断を行う。
【００３４】
また更に、第三の電圧感度比較手段は、配電線と分散型電源との連系点における無効電力の変動分と電圧の変化分とから無効電力変動分に対する電圧感度の算出を行うと共にこの電圧感度と助成のための無効電力出力を停止するか否かを判定するための閾値とを比較して分散型電源が助成のための無効電力出力を停止すべきか否かの判断を行う。そして、制御指令出力手段は、第一の電圧感度比較手段等の判断結果に基づいて分散型電源に対して制御指令の出力を行う。
【００３５】
ここで、本発明は、配電系統に連系している分散型電源のそれぞれを自律的に制御して配電系統の電圧を制御するものであり、本実施形態で言えば、分散型電源Ａが無効電力出力による助成を行う場合と助成を受ける場合の両方が考えられ、分散型電源Ｂについても無効電力出力による助成を行う場合と助成を受ける場合の両方が考えられる。本実施形態では、分散型電源Ａが無効電力出力による助成を受け、分散型電源Ｂが無効電力出力による助成を行う場合を例に挙げて説明する。
【００３６】
上記前提の場合の分散型電源ＡとＢの関わり並びにそれぞれの動作の流れを図４を用いて説明する。分散型電源Ａは一定力率の通常運転を行っている（Ｆ１）。また、分散型電源Ｂは有効電力の出力開始若しくは出力変化を行うと共に有効電力変化分に対する電圧感度の監視を行っている（Ｆ２）。具体的には、電圧制御装置の第一の電圧感度算出手段が配電線３と分散型電源Ｂとの連系点５ｂにおける有効電力の変化分と電圧の変化分とから有効電力変化分に対する電圧感度の算出を行う。そして、分散型電源Ａと配電線３との連系点５ａにおける電圧が上昇して連系点５ａの電圧が配電系統１の規格値の上限に達すると（Ｆ３）、分散型電源Ａが無効電力出力による電圧上昇抑制制御を開始する（Ｆ４）。このとき、同一配電線３に連系している分散型電源Ｂには、連系点５ｂにおける有効電力変化分に対する電圧感度が低下して検出される。この電圧感度の低下が予め定めた閾値以下になった場合（Ｆ５）に分散型電源Ｂは分散型電源Ａが電圧上昇抑制制御に移行したものと判断して自ら助成のための無効電力出力を開始する（Ｆ６）。具体的には、第一の電圧感度比較手段が連系点５ｂにおける有効電力変化分に対する電圧感度と無効電力出力による助成を行うか否かを判定するための閾値とを比較する。そして、電圧感度が閾値以下になった場合（Ｆ５）に、第一の電圧感度比較手段の判断結果に基づいて制御指令出力手段が分散型電源Ｂに対して助成のための無効電力出力を開始する内容の制御指令を出力する（Ｆ６）。この際、助成のための無効電力の出力は最大出力で行うことが好ましい。
【００３７】
更に、分散型電源Ｂは自らの無効電力変化分に対する電圧感度の監視を開始する（Ｆ７）。具体的には、電圧制御装置の第二の電圧感度算出手段が配電線３と分散型電源Ｂとの連系点５ｂにおける無効電力の変化分と電圧の変化分とから無効電力変化分に対する電圧感度の算出を行う。続いて、分散型電源Ｂは助成のための無効電力出力の段階的低下を開始する（Ｆ８）。そして、分散型電源Ｂの無効電力出力の低下に伴い分散型電源Ａの無効電力出力が増加して無効電力出力上限値に達した場合（Ｆ９）に分散型電源Ａは電圧一定制御を開始する（Ｆ１０）。このとき、連系点５ｂにおける無効電力変化分に対する電圧感度が低下して予め定めた閾値以下になった場合（Ｆ１１）に分散型電源Ｂは助成のための無効電力出力の段階的低下を停止する（Ｆ１２）。具体的には、第二の電圧感度比較手段が連系点５ｂにおける無効電力変化分に対する電圧感度と助成のための無効電力出力の低下を停止するか否かを判定するための閾値とを比較する。そして、電圧感度が閾値以下になった場合（Ｆ１１）に、第二の電圧感度比較手段の判断結果に基づいて制御指令出力手段が分散型電源Ｂに対して助成のための無効電力出力の段階的低下を停止する内容の制御指令を出力する（Ｆ１２）。
【００３８】
続いて、配電系統１の電圧が低下して連系点５ａの電圧が配電系統１の規格値の上限を下回った場合（Ｆ１３）に分散型電源Ａは電圧一定制御を解除する（Ｆ１４）。このとき、連系点５ｂにおける無効電力変化分に対する電圧感度が上昇して予め定めた閾値より大きくなった場合（Ｆ１５）に分散型電源Ｂは助成のための無効電力出力を停止する（Ｆ１６）。具体的には、電圧制御装置の第三の電圧感度比較手段が配電線３と分散型電源Ｂとの連系点５ｂにおける無効電力の変動分と電圧の変化分とから無効電力変動分に対する電圧感度の算出を行うと共にこの電圧感度と助成のための無効電力出力を停止するか否かを判定するための閾値とを比較する。そして、電圧感度が閾値より大きくなった場合（Ｆ１５）に、第三の電圧感度比較手段の判断結果に基づいて制御指令出力手段が分散型電源Ｂに対して助成のための無効電力出力を停止する内容の制御指令を出力する（Ｆ１６）。
【００３９】
より具体的には、本発明の配電系統の電圧制御方法は、図１のフロー図に示すように、まず、無効電力出力による助成を開始する工程として、分散型電源Ａの制御については、配電線３と分散型電源Ａとの連系点５ａにおける通常運転状態の電圧ｖｓａ及び電流Ｉｓａを電圧・電流検出装置６により検出する工程（Ｓ１）と、電圧ｖｓａが配電系統１の規格値の上限を超えている場合（Ｓ２；Ｙｅｓ）に分散型電源Ａが無効電力出力による電圧上昇抑制制御を開始する工程（Ｓ１−３）とを有するようにしている。また、分散型電源Ｂの制御については、配電線３と分散型電源Ｂとの連系点５ｂにおける通常運転状態の電圧ｖｓｂ及び電流Ｉｓｂを電圧・電流検出装置６により検出する工程（Ｓ１）と、電圧ｖｓｂが配電系統１の規格値の上限を超えていない場合（Ｓ２；Ｎｏ）に電圧ｖｓｂ及び電流Ｉｓｂを基に通常運転状態の有効電力Ｐｓの算出を行う工程（Ｓ２−３）と、分散型電源Ｂの有効電力の出力を変化させた場合（Ｓ２−４）の連系点５ｂにおける電圧ｖｃ及び電流Ｉｃを電圧・電流検出装置６により検出して電圧ｖｃ及び電流Ｉｃを基に有効電力の出力を変化させた状態の有効電力Ｐｃの算出を行う工程（Ｓ２−５）と、電圧ｖｓｂと電圧ｖｃとから電圧の変化分Δｖ１を算出すると共に有効電力Ｐｓと有効電力Ｐｃとから有効電力の変化分ΔＰを算出する工程（Ｓ２−６）と、電圧の変化分Δｖ１と有効電力の変化分ΔＰとから有効電力変化分に対する電圧感度Ｓｐを算出する工程（Ｓ２−７）と、電圧感度Ｓｐと無効電力出力による助成を行うか否かを判定するための閾値Ｓpsとの比較を行う工程（Ｓ２−８）と、電圧感度Ｓｐが閾値Ｓpsよりも大きい場合（Ｓ２−８；Ｎｏ）には分散型電源Ｂが無効電力出力による助成を行わず通常運転を継続する工程（Ｓ２−９）と、電圧感度Ｓｐが閾値Ｓps以下の場合（Ｓ２−８；Ｙｅｓ）には分散型電源Ｂが無効電力出力による助成を開始する工程（Ｓ２−１０）とを有するようにしている。
【００４０】
更に、無効電力助成量を調整する工程として、分散型電源Ａの制御については、分散型電源Ａが無効電力出力による電圧上昇抑制制御を開始した後（Ｓ１−４）、分散型電源Ｂの無効電力出力の段階的低下（Ｓ２−１２）に伴って分散型電源Ａの無効電力出力が増加して無効電力出力の上限値に達したとき（Ｓ１−５；Ｙｅｓ）に分散型電源Ａが電圧上昇抑制に加えて電圧下降抑制も行う電圧一定制御に移行する工程（Ｓ１−６）と、分散型電源Ａが電圧一定制御に移行した後に無効電力出力が無効電力出力閾値よりも低下したとき（Ｓ１−７；Ｙｅｓ）に分散型電源が電圧一定制御を解除する工程（Ｓ１−８）とを有するようにしている。また、分散型電源Ｂの制御については、分散型電源Ｂが無効電力出力による助成を開始した（Ｓ２−１０）後に、連系点５ｂにおける電圧ｖｍ及び電流Ｉｍを電圧・電流検出装置６により検出して電圧ｖｍ及び電流Ｉｍを基に無効電力出力を開始した状態の無効電力Ｑｍの算出を行う工程（Ｓ２−１１）と、分散型電源Ｂによる助成のための無効電力出力を段階的に低下させる工程（Ｓ２−１２）と、ｉ回目（ｉ＝１，２，３，…）の助成のための無効電力出力の段階的低下をした状態の連系点５ｂにおける電圧ｖｉ及び電流Ｉｉを電圧・電流検出装置６により検出して電圧ｖｉ及び電流Ｉｉを基に助成のための無効電力出力を低下させた状態の無効電力Ｑｉの算出を行う工程（Ｓ２−１３）と、電圧ｖｉについて電圧の変化分Δｖ２ｉを算出すると共に無効電力Ｑｉについて無効電力の変化分ΔＱｉを算出する工程（Ｓ２−１４）と、電圧の変化分Δｖ２ｉと無効電力の変化分ΔＱｉとから無効電力変化分に対する電圧感度Ｓｑｉを算出する工程（Ｓ２−１５）と、電圧感度Ｓｑｉと助成のための無効電力出力の低下を停止するか否かを判定するための閾値Ｓqsとの比較を行う工程（Ｓ２−１６）と、電圧感度Ｓｑｉが閾値Ｓqsよりも大きい場合には分散型電源Ｂによる助成のための無効電力出力を段階的に低下させる工程（Ｓ２−１２）に戻る工程（Ｓ２−１６；Ｎｏ）と、電圧感度Ｓｑｉが閾値Ｓqs以下の場合（Ｓ２−１６；Ｙｅｓ）には分散型電源Ｂが助成のための無効電力出力の低下を停止する工程（Ｓ２−１７）と、分散型電源Ｂが助成のための無効電力出力の低下を停止した（Ｓ２−１７）後に無効電力変動分に対する電圧感度Ｓｑｆが助成のための無効電力出力を停止するか否かを判定するための閾値Ｓqs’よりも大きい場合（Ｓ２−１８；Ｙｅｓ）には分散型電源Ｂが助成のための無効電力出力を停止する工程（Ｓ２−１９）とを有するようにしている。
【００４１】
まず、本発明の電圧制御方法適用の初期状態として、配電系統１に連系している分散型電源ＡとＢは一定力率の通常運転を行い配電系統１に電力を供給している（Ｓ０）。
【００４２】
そして、分散型電源Ａの制御については配電線３と分散型電源Ａとの連系点５ａにおける通常運転状態の電圧ｖｓａ及び電流Ｉｓａを電圧・電流検出装置６により検出し、分散型電源Ｂの制御については配電線３と分散型電源Ｂとの連系点５ｂにおける通常運転状態の電圧ｖｓｂ及び電流Ｉｓｂを電圧・電流検出装置６により検出する（Ｓ１）。
【００４３】
電圧ｖｓａ及び電流Ｉｓａ並びに電圧ｖｓｂ及び電流Ｉｓｂの検出は電圧・電流検出装置６を用い、予め定めた所定の時間間隔で行う。検出の時間間隔として例えば１秒間隔が考えられるが、これに限られるものではなく、これより短い時間間隔でも又はこれより長い時間間隔でも良い。
【００４４】
次に、Ｓ１で検出した電圧ｖｓａ、ｖｓｂと配電系統１の規格値の上限との比較を行う（Ｓ２）。なお、配電系統１の規格値の上限は、現在は１０７［Ｖ］である。
【００４５】
本実施形態では、前記の前提に則り、電圧ｖｓａが配電系統１の規格値の上限を超えており、電圧ｖｓｂが配電系統１の規格値の上限を超えていない場合について説明する。
【００４６】
電圧ｖｓａが配電系統１の規格値の上限を超えている（Ｓ２；Ｙｅｓ）ので、分散型電源Ａの制御については、無効電力出力による連系点５ａにおける電圧上昇抑制制御を開始する（Ｓ１−３）。
【００４７】
一方、電圧ｖｓｂが配電系統１の規格値の上限を超えていない（Ｓ２；Ｎｏ）ので、分散型電源Ｂの制御については、Ｓ１で検出した電圧ｖｓｂ及び電流Ｉｓｂを基に通常運転状態の有効電力Ｐｓの算出を行う（Ｓ２−３）。
【００４８】
有効電力Ｐｓは、例えば、電圧ｖｓｂと電流Ｉｓｂの位相差をθｓとして（式１）により算出することができるが、有効電力Ｐｓの算出方法はこれに限られるものではなく他の方法であっても構わない。
【００４９】
Ｐｓ＝ｖｓｂ・Ｉｓｂ・ｃｏｓ（θｓ）  …（式１）
【００５０】
ここに、Ｐｓ：有効電力［Ｗ］、ｖｓｂ：電圧［Ｖ］、Ｉｓｂ：電流［Ａ］、θｓ：電圧ｖｓｂと電流Ｉｓｂの位相差［ｄｅｇ］。
【００５１】
次に、分散型電源Ｂの有効電力の出力を変化させる（Ｓ２−４）。
【００５２】
分散型電源Ｂの有効電力の出力の変化は、例えば、分散型電源Ｂの起動時の出力の増加や、電力供給能力をより活用するための出力の増加、又は本発明の電圧制御を行うための意図的な出力の周期的な変化など、いずれの理由であっても構わない。
【００５３】
分散型電源Ｂの有効電力の出力の変化に合わせて、連系点５ｂにおける電圧ｖｃ及び電流Ｉｃを検出し、電圧ｖｃ及び電流Ｉｃを基に有効電力の出力を変化させた状態の有効電力Ｐｃの算出を行う（Ｓ２−５）。なお、有効電力Ｐｃの算出は（式１）等により行う。
【００５４】
そして、Ｓ１で検出した電圧ｖｓｂとＳ２−５で検出した電圧ｖｃとから（式２）により電圧の変化分Δｖ１を算出すると共に、Ｓ２−３で算出した有効電力ＰｓとＳ２−５で算出した有効電力Ｐｃとから（式３）により有効電力の変化分ΔＰを算出する（Ｓ２−６）。
【００５５】
Δｖ１＝ｖｃ−ｖｓｂ  …（式２）
【００５６】
ここに、Δｖ１：電圧の変化分、ｖｃ：有効電力の出力を変化させた状態の電圧、ｖｓｂ：通常運転状態の電圧。単位は全て［Ｖ］。
【００５７】
ΔＰ＝Ｐｃ−Ｐｓ  …（式３）
【００５８】
ここに、ΔＰ：有効電力の変化分、Ｐｃ：有効電力の出力を変化させた状態の有効電力、Ｐｓ：通常運転状態の有効電力。単位は全て［Ｗ］。
【００５９】
更に、Ｓ２−６で算出した電圧の変化分Δｖ１と有効電力の変化分ΔＰとから（式４）により有効電力変化分に対する電圧感度Ｓｐを算出する（Ｓ２−７）。
【００６０】
Ｓｐ＝Δｖ１／ΔＰ  …（式４）
【００６１】
ここに、Ｓｐ：有効電力変化分に対する電圧感度［Ｖ／Ｗ］、Δｖ１：電圧の変化分［Ｖ］、ΔＰ：有効電力の変化分［Ｗ］。
【００６２】
次に、Ｓ２−７で算出した電圧感度Ｓｐと無効電力出力による助成を行うか否かを判定するための閾値Ｓpsとの比較を行う（Ｓ２−８）。
【００６３】
閾値Ｓpsの大きさは、例えば、通常運転状態の電圧ｖｓｂや有効電力Ｐｓ、並びに電圧の変化分Δｖ１の大きさ等を考慮して作業者が適当な値を設定する。例えば、０．０５〜０．１程度の範囲で閾値Ｓpsを設定することが考えられるが、閾値Ｓpsの値はこれに限られるものではなく、これより大きい値でも又はこれより小さい値でも良い。
【００６４】
そして、電圧感度Ｓｐが閾値Ｓpsよりも大きい（Ｓｐ＞Ｓps）場合（Ｓ２−８；Ｎｏ）には、分散型電源Ｂは無効電力出力による助成を行わず通常運転を継続する（Ｓ２−９）。
【００６５】
一方、電圧感度Ｓｐが閾値Ｓps以下（Ｓｐ≦Ｓps）の場合（Ｓ２−８；Ｙｅｓ）には、分散型電源Ｂが無効電力出力による助成を開始する（Ｓ２−１０）。
【００６６】
上記は、配電系統の電圧上昇に伴って配電系統の電圧が適正範囲の上限に達し、分散型電源Ａが一定力率の通常運転から電圧上昇抑制制御に移行することは分散型電源Ａが定電力源から定電圧源に切り替わることと概略等価であり、同一配電線３に連系している分散型電源Ｂからみた系統インピーダンスが低下し、特に有効電力の出力変化中の分散型電源Ｂでは有効電力変化分に対する電圧感度Ｓｐが低下するとの考え方に基づくものである。言い換えれば、有効電力変化分に対する電圧感度Ｓｐが低下した場合には、同一配電線に連系している分散型電源Ａが電圧上昇抑制制御に移行したものと判断し、分散型電源Ｂは無効電力出力による助成を開始するものである。
【００６７】
分散型電源Ｂによる助成のための無効電力出力は、出力開始から一定時間経過後に自動的に停止するようにしても良いし、又は、後述する本実施形態のように分散型電源Ａの運転状態を判断してその運転状態に基づいて停止するようにしても良い。ここで、無効電力出力を自動的に停止する一定時間としては例えば一時間程度が考えられるが、これに限られるものではなく、これより短い時間でも又はこれより長い時間でも良い。なお、一定時間経過後に無効電力出力を自動的に停止した場合には、分散型電源Ｂの制御としてはＳ０の状態に戻ってＳ１以降の処理をあらためて行い、必要な場合には再度無効電力出力による助成を開始する。
【００６８】
ここで、分散型電源Ｂが無効電力出力による助成を開始する際には、分散型電源Ｂが出力可能な最大出力の無効電力即ち最大助成量での助成を開始することが好ましい。なお、分散型電源Ｂが出力可能な最大出力での助成を開始しない場合には、例えば最大出力の８０％程度の出力で助成を開始するようにすることが考えられる。
【００６９】
続いて、連系点５ｂにおける電圧ｖｍ及び電流Ｉｍを電圧・電流検出装置６により検出し、電圧ｖｍ及び電流Ｉｍを基に無効電力出力を開始した状態の無効電力Ｑｍの算出を行う（Ｓ２−１１）。
【００７０】
無効電力Ｑｍは、例えば、電圧ｖｍと電流Ｉｍの位相差をθｍとして（式５）により算出することができるが、無効電力Ｑｍの算出方法はこれに限られるものではなく他の方法であっても構わない。
【００７１】
Ｑｍ＝ｖｍ・Ｉｍ・ｓｉｎ（θｍ）  …（式５）
【００７２】
ここに、Ｑｍ：無効電力［Ｖａｒ］、ｖｍ：電圧［Ｖ］、Ｉｍ：電流［Ａ］、θｍ：電圧ｖｍと電流Ｉｍの位相差［ｄｅｇ］。
【００７３】
次に、分散型電源Ｂによる助成のための無効電力出力を段階的に低下させる（Ｓ２−１２）。
【００７４】
助成のための無効電力出力を段階的に低下させる際の一回あたりの低下の幅には特に制限はなく、例えば助成を開始した時点の無効電力の十分の一ずつ低下させること等が考えられる。しかしながら、一回あたりの低下の幅はこれに限られるものではなく、これより大きい幅でも又はこれより小さい幅でも良い。なお、段階的に低下させる際の各回の低下の幅は同じ幅でも又は異なる幅でも良い。例えば、段階的低下の初期の段階では低下の幅を比較的大きくして徐々に低下の幅を小さくするようにしても良い。
【００７５】
分散型電源Ｂによる助成のための無効電力出力の段階的な低下に合わせて、ｉ回目（ｉ＝１，２，３，…）の段階的低下をした状態の連系点５ｂにおける電圧ｖｉ及び電流Ｉｉを電圧・電流検出装置６により検出し、電圧ｖｉ及び電流Ｉｉを基に助成のための無効電力出力を低下させた状態の無効電力Ｑｉの算出を行う（Ｓ２−１３）。なお、無効電力Ｑｉの算出は（式５）等により行う。
【００７６】
そして、Ｓ２−１３で検出した電圧ｖｉについて（式６）で表される電圧の変化分Δｖ２ｉを算出すると共に、Ｓ２−１３で算出した無効電力Ｑｉについて（式７）で表される無効電力の変化分ΔＱｉを算出する（Ｓ２−１４）。
【００７７】
Δｖ２ｉ＝ｖｉ−ｖｉ−１  …（式６）
【００７８】
ここに、Δｖ２：電圧の変化分［Ｖ］、ｖ：電圧［Ｖ］、添字ｉ：無効電力出力の段階的低下の回数（ｉ＝１，２，３，…）。なお、段階的低下の１回目（ｉ＝１）ではｖｉ−１はｖ０となるが、ｖ０はＳ２−１１で計測したｖｍに等しい。
【００７９】
ΔＱｉ＝Ｑｉ−Ｑｉ−１  …（式７）
【００８０】
ここに、ΔＱ：無効電力の変化分［Ｖａｒ］、Ｑ：無効電力［Ｖａｒ］、添字ｉ：無効電力出力の段階的低下の回数（ｉ＝１，２，３，…）。なお、段階的低下の１回目（ｉ＝１）ではＱｉ−１はＱ０となるが、Ｑ０はＳ２−１１で算出したＱｍに等しい。
【００８１】
更に、Ｓ２−１４で算出した電圧の変化分Δｖ２ｉと無効電力の変化分ΔＱｉとから（式８）により無効電力変化分に対する電圧感度Ｓｑｉを算出する（Ｓ２−１５）。
【００８２】
Ｓｑｉ＝Δｖ２ｉ／ΔＱｉ  …（式８）
【００８３】
ここに、Ｓｑ：無効電力変化分に対する電圧感度［Ｖ／Ｖａｒ］、Δｖ２：電圧の変化分［Ｖ］、ΔＱ：無効電力の変化分［Ｖａｒ］、添字ｉ：無効電力出力の段階的低下の回数（ｉ＝１，２，３，…）。
【００８４】
次に、Ｓ２−１５で算出した電圧感度Ｓｑｉと助成のための無効電力出力の低下を停止するか否かを判定するための閾値Ｓqsとの比較を行う（Ｓ２−１６）。
【００８５】
閾値Ｓqsの大きさは、例えば、無効電力出力を開始した状態の電圧ｖｍや無効電力Ｑｍ、並びに電圧の変化分Δｖ２ｉの大きさ等を考慮して作業者が適当な値を設定する。例えば、０．０５〜０．１程度の範囲で閾値Ｓqsを設定することが考えられるが、閾値Ｓqsの値はこれに限られるものではなく、これより大きい値でも又はこれより小さい値でも良い。
【００８６】
そして、電圧感度Ｓｑｉが閾値Ｓqsよりも大きい（Ｓｑｉ＞Ｓqs）場合（Ｓ２−１６；Ｎｏ）には、分散型電源Ｂによる助成のための無効電力出力を段階的に低下させる工程（Ｓ２−１２）に戻る。
【００８７】
一方、電圧感度Ｓｑｉが閾値Ｓqs以下（Ｓｑｉ≦Ｓqs）の場合（Ｓ２−１６；Ｙｅｓ）には、分散型電源Ｂは助成のための無効電力出力の低下を停止する（Ｓ２−１７）。
【００８８】
上記は、分散型電源Ａが電圧上昇抑制制御から電圧一定制御に移行すると電圧上昇方向に加えて電圧下降方向に対しても電圧制御を行うこととなり、電圧上昇時に加えて電圧下降時にも同一配電線３に連系している分散型電源Ｂからみた系統インピーダンスは低下するとの考え方に基づくものである。言い換えれば、無効電力変化分に対する電圧感度Ｓｑｉが低下した場合には、分散型電源Ａが電圧一定制御に移行したものと判断し、分散型電源Ｂは助成のための無効電力出力の低下を停止するものである。
【００８９】
ここで、分散型電源Ａについて、分散型電源Ｂが助成のための無効電力出力を段階的に低下させる（Ｓ２−１２）と、それに伴い、無効電力出力による電圧上昇抑制制御を開始した（Ｓ１−３）分散型電源Ａの進相無効電力出力が無効電力出力の上限値に達するまで増加する（Ｓ１−４、Ｓ１−５；Ｎｏ）。
【００９０】
そして、分散型電源Ａの無効電力出力が上限値に達したとき（Ｓ１−５；Ｙｅｓ）に分散型電源Ａは連系点５ａにおける電圧下降の抑制も行う電圧一定制御に移行する（Ｓ１−６）。
【００９１】
以上の処理により、無効電力の分担化が完了する。
【００９２】
更に、助成のための無効電力出力を停止するための処理として、分散型電源Ｂの制御については、分散型電源Ｂが助成のための無効電力出力の低下を停止した（Ｓ２−１７)後、無効電力出力を周期的に変動させる。そして、無効電力出力を周期的に変動させた場合の無効電力変動分に対する電圧感度Ｓｑｆと助成のための無効電力出力を停止するか否かを判定するための閾値Ｓqs’を比較する（Ｓ２−１８）。
【００９３】
無効電力の変動の大きさは、配電系統１の電圧の増減に影響を与えない程度の大きさであれば良く、例えば連系点５ｂにおける電圧の大きさ等を考慮して作業者が適当な大きさを設定する。具体的には例えば連系点５ｂで検出される電圧の０．１％程度の幅で変動させることが考えられる。
【００９４】
閾値Ｓqs’の大きさは、本実施形態では、Ｓ２−１６で用いた助成のための無効電力出力の低下を停止するか否かを判定するための閾値Ｓqsと同じとする。しかしながら、閾値Ｓqs’の値はこれに限られるものではなく、閾値Ｓqsと同じで値でも又は異なる値でも良く、更に、閾値Ｓqsよりも大きい値でも又は小さい値でも良い。
【００９５】
無効電力変動分に対する電圧感度Ｓｑｆの算出は前述の無効電力変化分に対する電圧感度Ｓｑの算出と同様であるので詳細については省略するが、無効電力の変動前後の電圧及び電流を電圧・電流検出装置６により検出し、検出した電圧及び電流から（式５）により無効電力を算出し、算出した無効電力から（式７）により無効電力の変動分を算出し、更に検出した電圧から（式６）により電圧の変動分を算出し、そして算出した電圧の変動分と無効電力の変動分とから（式８）により無効電力変動分に対する電圧感度Ｓｑｆを算出する。
【００９６】
そして、電圧感度Ｓｑｆが閾値Ｓqs’よりも大きい場合（Ｓ２−１８；Ｙｅｓ）には、分散型電源Ｂは助成のための無効電力出力を停止する（Ｓ２−１９）。
【００９７】
一方、電圧感度Ｓｑｆが閾値Ｓqs’以下の場合（Ｓ２−１８；Ｎｏ）には、無効電力出力を周期的に変動させ、無効電力変動分に対する電圧感度Ｓｑｆを算出して閾値Ｓqs’と比較する工程（Ｓ２−１８）に戻る。
【００９８】
なお、好ましくはＳ２−１０の処理の後に上記のＳ２−１１からＳ２−１７までの処理を行うようにすることであるが、Ｓ２−１０の処理の後にＳ２−１８の処理を行うようにしても良い。
【００９９】
上記は、分散型電源Ａが電圧一定制御を解除することにより再び定電力源に切り替わることとなり、同一配電線３に連系している分散型電源Ｂからみた系統インピーダンスが元に戻るとの考え方に基づくものである。言い換えれば、無効電力変動分に対する電圧感度Ｓｑｆが大きくなった場合には同一配電線に連系している分散型電源Ａが電圧一定制御を解除したものと判断し、分散型電源Ｂは助成のための無効電力出力を停止するものである。
【０１００】
また、分散型電源Ａの制御については、分散型電源Ａが電圧一定制御に移行した（Ｓ１−６）後、無効電力出力と無効電力出力閾値との比較を行う（Ｓ１−７）。そして、無効電力出力が無効電力出力閾値よりも低下したとき（Ｓ１−７；Ｙｅｓ）には、分散型電源Ａは電圧一定制御を解除する（Ｓ１−８）。
【０１０１】
一方、無効電力出力が無効電力出力閾値以上のとき（Ｓ１−７；Ｎｏ）には、無効電力出力と無効電力出力閾値とを比較する工程（Ｓ１−７）に戻る。
【０１０２】
無効電力出力閾値は、例えば最大無効電力出力の１０％程度にすることが考えられるが、これに限られるものではなく、これより大きくても又はこれより小さくても良い。
【０１０３】
なお、電圧一定制御を解除した分散型電源Ａも助成のための無効電力出力を停止した分散型電源Ｂも通常運転を行ってＳ０の状態に戻り、必要な場合にはあらためて無効電力出力による助成を受けたり無効電力出力による助成を行ったりする。
【０１０４】
上述の配電系統の電圧制御方法並びに装置は電圧制御プログラム１３をコンピュータ上で実行することによっても実現される。この実施の一例を以下に示す。
【０１０５】
電圧制御プログラム１３を実行するための電圧制御装置７の全体構成を図３に示す。電圧制御装置７は、制御部８、記憶部９、入力部１０、表示部１１及びメモリ１２を備え相互にバス等の信号回線により接続されている。また、電圧制御装置７には電圧・電流検出装置６及び分散型電源Ａ又はＢが通信回線等により接続されており、その通信回線等を介して相互にデータや制御指令等の信号の送受信（出入力）が行われる。なお、電圧制御装置７は単独で自律的に一つの分散型電源を制御するものであり、分散型電源ＡとＢの各々に電圧制御装置７が一台ずつ接続されている。
【０１０６】
制御部８は記憶部９に記憶されている電圧制御プログラム１３により電圧制御装置７全体の制御並びに配電系統１の電圧制御に係る演算を行うものであり、例えばＣＰＵである。記憶部９は少なくともデータやプログラムを記憶可能な装置であり、例えばハードディスクである。入力部１０は少なくとも作業者の命令をＣＰＵに与えるためのインターフェイスであり、例えばキーボードである。表示部１１は制御部８の制御により文字や図形等の表示を行うものであり、例えばディスプレイである。メモリ１２は制御部８が各種制御を実行する際に作業領域となるメモリ空間となる。
【０１０７】
電圧制御装置７の制御部８は、電圧制御プログラム１３を実行することにより、電圧と配電系統の規格値の上限との比較を行う電圧比較部８ａ、通常運転状態及び有効電力の出力を変化させた状態の有効電力の算出を行う有効電力算出部８ｂ、無効電力出力と無効電力出力の上限値との比較を行う第一の無効電力出力比較部８ｃ、無効電力出力と無効電力出力閾値との比較を行う第二の無効電力出力比較部８ｄ、電圧の変化分と有効電力の変化分を算出する第一の変化分算出部８ｅ、有効電力変化分に対する電圧感度を算出する第一の電圧感度算出部８ｆ、電圧感度と無効電力出力による助成を行うか否かを判定するための閾値との比較を行う第一の電圧感度比較部８ｇ、無効電力出力を開始した状態及び無効電力出力を低下させた状態の無効電力の算出を行う無効電力算出部８ｈ、電圧の変化分と無効電力の変化分を算出する第二の変化分算出部８ｉ、無効電力変化分に対する電圧感度を算出する第二の電圧感度算出部８ｊ、電圧感度と無効電力出力の低下を停止するか否かを判定するための閾値との比較を行う第二の電圧感度比較部８ｋ、電圧感度と無効電力出力を停止するか否かを判定するための閾値との比較を行う第三の電圧感度比較部８ｍ、分散型電源に対して制御指令を出力する制御指令出力部８ｎが構成される。
【０１０８】
電圧制御プログラム１３は、プログラム上に予め規定された時間間隔で、分散型電源Ａの制御については通常運転状態の電圧ｖｓａ及び電流Ｉｓａを、また、分散型電源Ｂの制御については通常運転状態の電圧ｖｓｂ及び電流Ｉｓｂを電圧・電流検出装置６から通信回線等を介して入力して記憶部９又はメモリ１２に記憶する（Ｓ１）。
【０１０９】
次に、制御部８の電圧比較部８ａは、Ｓ１で記憶部９又はメモリ１２に記憶した電圧ｖｓａ、ｖｓｂを読み込む。また、配電系統１の規格値の上限の値を読み込む。そして、電圧ｖｓａ、ｖｓｂと配電系統１の規格値の上限との比較を行う（Ｓ２）。ここで、規格値の上限の値は、例えば、予め入力部１０により入力して記憶部９に記憶した値を読み込むようにする。
【０１１０】
本実施形態では、前述の前提に則り、電圧ｖｓａが配電系統１の規格値の上限を超えている（Ｓ２；Ｙｅｓ）ので、制御部８の電圧比較部８ａの比較結果に基づき、制御指令出力部８ｎは分散型電源Ａに対して無効電力出力による電圧上昇抑制制御を開始する内容の制御指令を出力する（Ｓ１−３）。また、必要に応じて、この制御指令の内容を記憶部９又はメモリ１２に記憶する。
【０１１１】
一方、電圧ｖｓｂが配電系統１の規格値の上限を超えていない（Ｓ２；Ｎｏ）ので、分散型電源Ｂの制御については、制御部８の有効電力算出部８ｂは、Ｓ１で記憶部９又はメモリ１２に記憶した電圧ｖｓｂ及び電流Ｉｓｂを読み込む。そして、（式１）により通常運転状態の有効電力Ｐｓを算出する（Ｓ２−３）。更に、算出した有効電力Ｐｓを記憶部９又はメモリ１２に記憶する。
【０１１２】
次に、分散型電源Ｂの有効電力の出力の変化（Ｓ２−４）について、本発明の電圧制御を行うために意図的に出力を周期的に変化させる場合には、制御部８の制御指令出力部８ｎは分散型電源Ｂに対して出力を変化させる内容の制御指令を出力する。
【０１１３】
次に、制御部８の有効電力算出部８ｂは、電圧ｖｃ及び電流Ｉｃの値を電圧・電流検出装置６から通信回線等を介して入力し、（式１）により有効電力の出力を変化させた状態の有効電力Ｐｃを算出する（Ｓ２−５）。そして、入力した電圧ｖｃ及び電流Ｉｃ、並びに算出した有効電力Ｐｃを記憶部９又はメモリ１２に記憶する。
【０１１４】
次に、制御部８の第一の変化分算出部８ｅは電圧の変化分Δｖ１と有効電力の変化分ΔＰを算出する（Ｓ２−６）。制御部８の第一の変化分算出部８ｅは、まず、Ｓ１で記憶部９又はメモリ１２に記憶した電圧ｖｓｂ、並びにＳ２−５で記憶部９又はメモリ１２に記憶した電圧ｖｃを読み込む。そして、（式２）により電圧の変化分Δｖ１を算出する。続いて、制御部８の第一の変化分算出部８ｅは、Ｓ２−３で記憶部９又はメモリ１２に記憶した有効電力Ｐｓ、並びにＳ２−５で記憶部９又はメモリ１２に記憶した有効電力Ｐｃを読み込む。そして、（式３）により有効電力の変化分ΔＰを算出する。そして、算出した電圧の変化分Δｖ１及び有効電力の変化分ΔＰを記憶部９又はメモリ１２に記憶する。
【０１１５】
次に、制御部８の第一の電圧感度算出部８ｆは、Ｓ２−６で記憶部９又はメモリ１２に記憶した電圧の変化分Δｖ１及び有効電力の変化分ΔＰを読み込み、（式４）により有効電力変化分に対する電圧感度Ｓｐを算出する（Ｓ２−７）。そして、算出した有効電力変化分に対する電圧感度Ｓｐを記憶部９又はメモリ１２に記憶する。
【０１１６】
次に、制御部８の第一の電圧感度比較部８ｇは電圧感度Ｓｐと無効電力出力による助成を行うか否かを判定するための閾値Ｓpsとの比較を行う（Ｓ２−８）。制御部８の第一の電圧感度比較部８ｇは、まず、Ｓ２−７で記憶部９又はメモリ１２に記憶した有効電力変化分に対する電圧感度Ｓｐを読み込む。また、無効電力出力による助成を行うか否かを判定するための閾値Ｓpsを読み込む。ここで、閾値Ｓpsの値は、例えば、予め入力部１０により入力して記憶部９に記憶した値を読み込むようにする。
【０１１７】
そして、電圧感度Ｓｐが閾値Ｓpsよりも大きい（Ｓｐ＞Ｓps）場合（Ｓ２−８；Ｎｏ）には、制御部８の第一の電圧感度比較部８ｇの比較結果に基づき、制御指令出力部８ｎは分散型電源Ｂに対して無効電力出力による助成を行わず通常運転を継続する内容の制御指令を出力する（Ｓ２−９）。また、必要に応じて、この制御指令の内容を記憶部９又はメモリ１２に記憶する。
【０１１８】
一方、電圧感度Ｓｐが閾値Ｓps以下（Ｓｐ≦Ｓps）の場合（Ｓ２−８；Ｙｅｓ）には、制御部８の第一の電圧感度比較部８ｇの比較結果に基づき、制御指令出力部８ｎは分散型電源Ｂに対して無効電力出力による助成を開始する内容の制御指令を出力する（Ｓ２−１０）。また、必要に応じて、この制御指令の内容を記憶部９又はメモリ１２に記憶する。ここで、制御指令出力部８ｎは分散型電源Ｂに対して出力可能な最大出力の無効電力出力による助成を開始する内容の制御指令を出力することが好ましい。更に、分散型電源Ｂによる助成のための無効電力出力を出力開始から一定時間経過後に自動的に停止するようにする場合には、制御部８の制御指令出力部８ｎは、電圧制御プログラム１３上に予め規定された一定時間経過後に分散型電源Ｂに対して助成のための無効電力出力を停止する内容の制御指令を出力する。
【０１１９】
次に、制御部８の無効電力算出部８ｈは、電圧ｖｍ及び電流Ｉｍの値を電圧・電流検出装置６から通信回線等を介して入力し、（式５）により無効電力出力を開始した状態の無効電力Ｑｍを算出する（Ｓ２−１１）。そして、入力した電圧ｖｍ及び電流Ｉｍ、並びに算出した無効電力Ｑｍを記憶部９又はメモリ１２に記憶する。
【０１２０】
次に、制御部８の制御指令出力部８ｎは分散型電源Ｂに対して助成のための無効電力出力を段階的に低下させる内容の制御指令を出力する（Ｓ２−１２）。ここで、無効電力出力を段階的に低下させる際の低下の幅は、例えば、予め入力部１０により入力して記憶部９に記憶した値を読み込むようにする。
【０１２１】
次に、制御部８の無効電力算出部８ｈは、電圧ｖｉ及び電流Ｉｉの値を電圧・電流検出装置６から通信回線等を介して入力し、（式５）により助成のための無効電力出力を低下させた状態の無効電力Ｑｉを算出する（Ｓ２−１３）。そして、入力した電圧ｖｉ及び電流Ｉｉ、並びに算出した無効電力Ｑｉを記憶部９又はメモリ１２に記憶する。なお、添字ｉは分散型電源Ｂの無効電力の段階的出力低下の回数（ｉ＝１，２，３，…）であり、記憶部９又はメモリ１２には回数毎の値を記憶する。なお、以降では、分散型電源Ｂの無効電力の段階的出力低下の回数がｉ回目の場合について説明する。
【０１２２】
次に、制御部８の第二の変化分算出部８ｉは電圧ｖｉについて電圧の変化分Δｖ２ｉと無効電力Ｑｉについて無効電力の変化分ΔＱｉを算出する（Ｓ２−１４）。制御部８の第二の変化分算出部８ｉは、まず、Ｓ２−１３で記憶部９又はメモリ１２に記憶した電圧ｖｉとｖｉ−１を読み込む。なお、無効電力出力の段階的低下の１回目（ｉ＝１）についての算出をする場合のｖ０については、Ｓ２−１１で記憶部９又はメモリ１２に記憶したｖｍを読み込む。そして、（式６）により電圧の変化分Δｖ２ｉを算出する。続いて、制御部８の第二の変化分算出部８ｉは、Ｓ２−１３で記憶部９又はメモリ１２に記憶した無効電力ＱｉとＱｉ−１を読み込む。なお、無効電力出力の段階的低下の１回目（ｉ＝１）についての算出をする場合のＱ０については、Ｓ２−１１で記憶部９又はメモリ１２に記憶したＱｍを読み込む。そして、（式７）により無効電力の変化分ΔＱｉを算出する。そして、算出した電圧の変化分Δｖ２ｉ及び無効電力の変化分ΔＱｉを記憶部９又はメモリ１２に記憶する。
【０１２３】
次に、制御部８の第二の電圧感度算出部８ｊは、Ｓ２−１４で記憶部９又はメモリ１２に記憶した電圧の変化分Δｖ２ｉ及び無効電力の変化分ΔＱｉを読み込む。そして、（式８）により無効電力変化分に対する電圧感度Ｓｑｉを算出する（Ｓ２−１５）。そして、算出した無効電力変化分に対する電圧感度Ｓｑｉを記憶部９又はメモリ１２に記憶する。
【０１２４】
次に、制御部８の第二の電圧感度比較部８ｋは電圧感度Ｓｑｉと助成のための無効電力出力の低下を停止するか否かを判定するための閾値Ｓqsとの比較を行う（Ｓ２−１６）。制御部８の第二の電圧感度比較部８ｋは、まず、Ｓ２−１５で記憶部９又はメモリ１２に記憶した無効電力変化分に対する電圧感度Ｓｑｉを読み込む。また、助成のための無効電力出力の低下を停止するか否かを判定するための閾値Ｓqsを読み込む。ここで、閾値Ｓqsの値は、例えば、予め入力部１０により入力して記憶部９に記憶した値を読み込むようにする。
【０１２５】
そして、電圧感度Ｓｑｉが閾値Ｓqsよりも大きい（Ｓｑｉ＞Ｓqs）場合（Ｓ２−１６；Ｎｏ）には、制御部８の第二の電圧感度比較部８ｋの比較結果に基づいてＳ２−１２のステップに戻り、制御部８の制御指令出力部８ｎは分散型電源Ｂに対して無効電力出力を更に低下する内容の制御指令を出力する。また、必要に応じて、この制御指令の内容を記憶部９又はメモリ１２に記憶する。
【０１２６】
一方、電圧感度Ｓｑｉが閾値Ｓqs以下（Ｓｑｉ≦Ｓqs）の場合（Ｓ２−１６；Ｙｅｓ）には、制御部８の第二の電圧感度比較部８ｋの比較結果に基づき、制御指令出力部８ｎは分散型電源Ｂに対して助成のための無効電力出力の低下を停止する内容の制御指令を出力する（Ｓ２−１７）。また、必要に応じて、この制御指令の内容を記憶部９又はメモリ１２に記憶する。
【０１２７】
ここで、分散型電源Ａの制御について、分散型電源Ａが無効電力出力による電圧上昇抑制制御を開始した（Ｓ１−３）後に制御部８の第一の無効電力出力比較部８ｃは無効電力出力の上限値を読み込むと共に分散型電源Ａから無効電力出力の大きさを通信回線等を介して入力する。そして、無効電力出力と無効電力出力の上限値との比較を行う（Ｓ１−５）。ここで、無効電力出力の上限値は、例えば、予め入力部１０により入力して記憶部９に記憶した値を読み込むようにする。
【０１２８】
そして、分散型電源Ａの無効電力出力が無効電力出力の上限値に達した場合（Ｓ１−５；Ｙｅｓ）には、制御部８の制御指令出力部８ｎは分散型電源Ａに対して電圧下降抑制も行う電圧一定制御に移行する内容の制御指令を出力する（Ｓ１−６）。
【０１２９】
一方、分散型電源Ａの無効電力出力が無効電力出力の上限値に達していない場合（Ｓ１−５；Ｎｏ）には、制御部８の第一の無効電力出力比較部８ｃが分散型電源Ａから通信回線等を介して入力した無効電力出力と無効電力出力の上限値との比較を行う工程（Ｓ１−５）に戻る。
【０１３０】
以上の処理により、電圧制御プログラム１３は無効電力の分担化の処理を完了する。
【０１３１】
更に、助成のための無効電力出力を停止するための処理として、分散型電源Ｂの制御については、分散型電源Ｂが助成のための無効電力出力の低下を停止した（Ｓ２−１７）後、制御部８の制御指令出力部８ｎは分散型電源Ｂに対して無効電力を周期的に変動させる内容の制御指令を出力する。そして、無効電力出力を周期的に変動させた場合の無効電力変動分に対する電圧感度Ｓｑｆと助成のための無効電力出力を停止するか否かを判定するための閾値Ｓqs’とを比較する（Ｓ２−１８）。
【０１３２】
まず、制御部８の第三の電圧感度比較部８ｍは、無効電力変動分に対する電圧感度Ｓｑｆを算出する。電圧感度Ｓｑｆの算出は前述の無効電力変化分に対する電圧感度Ｓｑの算出と同様であるので詳細についてはここでは省略する。また、助成のための無効電力出力を停止するか否かを判定するための閾値Ｓqs’を読み込む。ここで、閾値Ｓqs’の値は、例えば、予め入力部１０により入力して記憶部９に記憶した値を読み込むようにする。
【０１３３】
そして、電圧感度Ｓｑｆが閾値Ｓqs’よりも大きい場合（Ｓ２−１８；Ｙｅｓ）には、制御部８の第三の電圧感度比較部８ｍの比較結果に基づき、制御指令出力部８ｎは分散型電源Ｂに対して助成のための無効電力出力を停止する内容の制御指令を出力する（Ｓ２−１９）。
【０１３４】
一方、電圧感度Ｓｑｆが閾値Ｓqs’以下の場合（Ｓ２−１８；Ｎｏ）には、制御部８の制御指令出力部８ｎが分散型電源Ｂに対して無効電力を周期的に変動させる内容の制御指令を出力すると共に、第三の電圧感度比較部８ｍが電圧感度Ｓｑｆを算出して電圧感度Ｓｑｆと閾値Ｓqs’との比較を行う工程（Ｓ２−１８）に戻る。
【０１３５】
また、分散型電源Ａの制御について、分散型電源Ａが電圧一定制御に移行した（Ｓ１−６）後、制御部８の第二の無効電力出力比較部８ｄは分散型電源Ａから無効電力出力の大きさを通信回線等を介して入力する。また、無効電力出力閾値を読み込む。ここで、無効電力出力閾値は、例えば、予め入力部１０により入力して記憶部９に記憶した値を読み込むようにする。
【０１３６】
そして、分散型電源Ａの無効電力出力が無効電力出力閾値よりも低下した場合（Ｓ１−７；Ｙｅｓ）には、制御部８の制御指令出力部８ｎは分散型電源Ａに対して電圧一定制御を解除する内容の制御指令を出力する（Ｓ１−８）。
【０１３７】
一方、分散型電源Ａの無効電力出力が無効電力出力閾値以上の場合（Ｓ１−７；Ｎｏ）には、制御部８の第二の無効電力出力比較部８ｄが分散型電源Ａから通信回線等を介して入力した無効電力出力と無効電力出力閾値との比較を行う工程（Ｓ１−７）に戻る。
【０１３８】
なお、上述の形態は本発明の好適な形態の一例ではあるがこれに限定されるものではなく、本発明の要旨を逸脱しない範囲において種々変形実施可能である。
【図面の簡単な説明】
【０１３９】
【図１】本発明の配電系統の電圧制御方法、装置並びにプログラムの実施形態の一例を示すフローチャートである。
【図２】実施形態の配電系統を説明する図である。
【図３】本実施形態の配電系統の電圧制御方法をプログラムを用いて実施する場合の電圧制御装置の機能ブロック図である。
【図４】同一の配電系統に連系している二つの分散型電源の関わりとそれぞれの動作の流れを説明する図である。
【符号の説明】
【０１４０】
１  配電系統
３  配電線
５ａ、５ｂ  連系点
６  電圧・電流検出装置
７  電圧制御装置
８  制御部
９  記憶部
１０  入力部
１１  表示部
１２  メモリ
１３  電圧制御プログラム
Ａ、Ｂ  分散型電源
【図１】
0004498247.tif 000002
【図２】
0004498247.tif 000003
【図３】
0004498247.tif 000004
【図４】
0004498247.tif 000005